(57)【要約】【課題】パネル面に入射する外光の反射を抑制して、画像のコントラストの低下を防止する。【解決手段】放電空間を介して互いに対向された前面ガラス基板１と背面ガラス基板４を備え、この背面ガラス基板４に、可視光に対して透光性を有する蛍光体薄膜によって、放電空間内で発生される放電によって発色を行う蛍光体層１７が形成され、この蛍光体層１７の前面ガラス基板１に対向する側と反対側の面に接する列電極保護層５および隔壁１６が黒色または暗色になっている。【選択図】    図２
2004356062.tif 000002
【特許請求の範囲】
【請求項１】
放電空間を介して互いに対向された前面基板と背面基板を備え、背面基板側に放電空間内において発生される放電によって発色を行う蛍光体層が形成されたプラズマディスプレイパネルにおいて、
前記蛍光体層が可視光に対して透光性を有する蛍光体薄膜によって形成され、この蛍光体層の前面基板に対向する側と反対側に黒色または暗色面が配置されていることを特徴とするプラズマディスプレイパネル。
【請求項２】
前記蛍光体層が、背面基板に設けられた列電極を被覆する列電極保護層上に形成され、列電極保護層が黒色または暗色面を構成している請求項１に記載のプラズマディスプレイパネル。
【請求項３】
前記放電空間が、背面基板上に形成された隔壁によって単位発光領域ごとに区画され、蛍光体層が隔壁の側面に形成されているとともに、この隔壁が黒色または暗色面を構成している請求項２に記載のプラズマディスプレイパネル。
【請求項４】
前記蛍光体層が、背面基板に設けられた列電極を被覆する列電極保護層上に形成され、この列電極保護層と蛍光体層との間に黒色または暗色層が形成されている請求項１に記載のプラズマディスプレイパネル。
【請求項５】
前記放電空間が、背面基板上に形成された隔壁によって単位発光領域ごとに区画され、蛍光体層が隔壁の側面に形成されているとともに、この隔壁と蛍光体層との間に黒色または暗色層が形成されている請求項４に記載のプラズマディスプレイパネル。
【請求項６】
前記蛍光体層が、化学気相成長法または電子ビーム蒸着法，スパッタリング法のうちのいずれかの方法で形成されている請求項１に記載のプラズマディスプレイパネル。
【請求項７】
放電空間を介して互いに対向された前面基板と背面基板を備え、背面基板側に放電空間内において発生される放電によって発色を行う蛍光体層が形成されたプラズマディスプレイパネルにおいて、
前記蛍光体層が、可視光に対する透光性と背面基板側の蛍光体層に接する部分の屈折率よりも小さい屈折率を有するとともに光の波長の略１／４の膜厚を有する蛍光体薄膜によって形成されていることを特徴とするプラズマディスプレイパネル。
【請求項８】
前記蛍光体層が、背面基板に設けられた列電極を被覆する列電極保護層上に形成されて、この列電極保護層の屈折率よりも小さい屈折率を有している請求項７に記載のプラズマディスプレイパネル。
【請求項９】
前記放電空間が、背面基板上に形成された隔壁によって単位発光領域ごとに区画され、蛍光体層が隔壁の側面に形成されているとともに、この隔壁の屈折率よりも小さい屈折率を有している請求項８に記載のプラズマディスプレイパネル。
【請求項１０】
放電空間を介して互いに対向された前面基板と背面基板を備え、背面基板側に放電空間内において発生される放電によって発色を行う蛍光体層が形成されたプラズマディスプレイパネルにおいて、
前記蛍光体層が可視光に対して透光性を有する蛍光体薄膜によって形成され、前面基板側に円偏光フィルタ層が設けられていることを特徴とするプラズマディスプレイパネル。
【発明の詳細な説明】
【０００１】
【発明の属する技術分野】
この発明は、面放電方式反射型プラズマディスプレイパネルの構造に関する。
【０００２】
【従来の技術】
図１は、従来の面放電方式反射型プラズマディスプレイパネル（以下、ＰＤＰという）の放電セルの構造を示す断面図である
この図１において、表示面である前面ガラス基板１の背面の放電セルＣに対向する位置に、それぞれ行電極対（Ｘ，Ｙ）が、行方向（紙面と垂直方向）に沿って延びるように形成されている。
【０００３】
行電極ＸとＹは、それぞれ、行方向に延びる金属膜からなる帯状のバス電極Ｘａ，Ｙａと、このバス電極Ｘａ，Ｙａに沿って等間隔に並設されたＩＴＯ等の透明導電膜からなる透明電極Ｘｂ，Ｙｂとによって構成されていて、互いに対になっている透明電極ＸｂとＹｂが、放電ギャップｇを介して対向されている。
【０００４】
この行電極対（Ｘ，Ｙ）は、前面ガラス基板１の背面側に形成された誘電体層２によって被覆されており、この誘電体層２の背面側には、ＭｇＯからなる保護層３が形成されている。
【０００５】
一方、前面ガラス基板１と放電空間を介して平行に配置される背面ガラス基板４の前面ガラス基板１と対向する面（表示側の面）上には、行電極対（Ｘ，Ｙ）と交差する部分の放電空間に放電セルＣを形成する列電極Ｄが、各行電極対（Ｘ，Ｙ）の互いに対になった透明電極ＸｂとＹｂに対向する位置において列方向（紙面の左右方向）に延びるように、等間隔に並設されている。
【０００６】
この列電極Ｄは、背面ガラス基板４の表示側の面上に形成された白色の列電極保護層（誘電体層）５によって被覆されている。
【０００７】
この列電極保護層５上には、白色の隔壁６が形成されて、各放電セルＣがそれぞれ区画されており、この隔壁６によって区画された放電セルＣ内に、列電極保護層５の表面と隔壁６の側面を覆うように、蛍光体層７が形成されている。
【０００８】
この蛍光体層７は、カラー表示のために、放電セルＣ毎に、赤，緑，青の蛍光体粉末が、それぞれ、スクリーン印刷などの方法で塗布されることにより形成される。
【０００９】
さらに、上記のＰＤＰは、パネル面に入射する外光によって画面のコントラストが低下するのを防止するために、前面ガラス基板１の表示面に円偏光フィルタ層８が形成されている（例えば、特許文献１参照）。
【００１０】
【特許文献１】
特開平１１−２４２９３３号公報
【００１１】
【発明が解決しようとする課題】
しかしながら、上記従来のＰＤＰにおいては、蛍光体層７が蛍光体粉末によって形成されているために、パネル面に入射する外光が蛍光体層７の表面で反射される際に、偏光の乱れが発生し、円偏光フィルタ層８による外光の反射防止の効果が薄くなってしまうという問題が発生する。
【００１２】
この発明は、上記のような従来の面放電方式反射型ＰＤＰにおいて発生する問題点を解決することをその解決課題の一つとしている。
【００１３】
【課題を解決するための手段】
上記目的を達成するために、第１の発明（請求項１に記載の発明）によるプラズマディスプレイパネルは、放電空間を介して互いに対向された前面基板と背面基板を備え、背面基板側に放電空間内において発生される放電によって発色を行う蛍光体層が形成されたプラズマディスプレイパネルにおいて、前記蛍光体層が可視光に対して透光性を有する蛍光体薄膜によって形成され、この蛍光体層の前面基板に対向する側と反対側に黒色または暗色面が配置されていることを特徴としている。
【００１４】
また、上記目的を達成するために、第２の発明（請求項７に記載の発明）によるプラズマディスプレイパネルは、放電空間を介して互いに対向された前面基板と背面基板を備え、背面基板側に放電空間内において発生される放電によって発色を行う蛍光体層が形成されたプラズマディスプレイパネルにおいて、前記蛍光体層が、可視光に対する透光性と背面基板側の蛍光体層に接する部分の屈折率よりも小さい屈折率を有するとともに光の波長の略１／４の膜厚を有する蛍光体薄膜によって形成されていることを特徴としている。
【００１５】
またさらに、上記目的を達成するために、第３の発明（請求項１０に記載の発明）によるプラズマディスプレイパネルは、放電空間を介して互いに対向された前面基板と背面基板を備え、背面基板側に放電空間内において発生される放電によって発色を行う蛍光体層が形成されたプラズマディスプレイパネルにおいて、前記蛍光体層が可視光に対して透光性を有する蛍光体薄膜によって形成され、前面基板側に円偏光フィルタ層が設けられていることを特徴としている。
【００１６】
【発明の実施の形態】
以下、この発明の最も好適と思われる実施形態について、図面を参照しながら詳細に説明を行う。
【００１７】
図２は、この発明によるＰＤＰの実施形態における第１の例を示す断面図である。
この図２において、表示面である前面ガラス基板１の背面の放電セルＣ１に対向する位置に、それぞれ行電極対（Ｘ，Ｙ）が、行方向（紙面と垂直方向）に沿って延びるように形成されている。
【００１８】
行電極ＸとＹは、それぞれ、行方向に延びる金属膜からなる帯状のバス電極Ｘａ，Ｙａと、このバス電極Ｘａ，Ｙａに沿って等間隔に並設されたＩＴＯ等の透明導電膜からなる透明電極Ｘｂ，Ｙｂとによって構成されていて、互いに対になっている透明電極ＸｂとＹｂが、放電ギャップｇを介して対向されている。
【００１９】
この行電極対（Ｘ，Ｙ）は、前面ガラス基板１の背面側に形成された誘電体層２によって被覆されており、この誘電体層２の背面側には、ＭｇＯからなる保護層３が形成されている。
【００２０】
一方、前面ガラス基板１と放電空間を介して平行に配置される背面ガラス基板４の前面ガラス基板１と対向する面（表示側の面）上には、行電極対（Ｘ，Ｙ）と交差する部分の放電空間に放電セルＣ１を形成する列電極Ｄが、各行電極対（Ｘ，Ｙ）の互いに対になった透明電極ＸｂとＹｂに対向する位置において列方向（紙面の左右方向）に延びるように、等間隔に並設されている。
【００２１】
以上の構成は、前述した図１の従来のＰＤＰと同様であり、同一の符号が付されている。
【００２２】
背面ガラス基板４の表示側の面上には、黒色または暗色顔料が含有された黒色または暗色の列電極保護層（誘電体層）１５が形成されていて、列電極Ｄを被覆している。
【００２３】
この列電極保護層１５上には、黒色または暗色顔料が含有された黒色または暗色の隔壁１６が形成されて、各放電セルＣ１が区画されている。
【００２４】
上記の列電極保護層１５および隔壁１６に含有される黒色顔料としては、例えば、酸化鉄や酸化コバルト，酸化クロム等が挙げられる。
そして、この隔壁６によって区画された放電セルＣ１内には、列電極保護層１５の表面と隔壁１６の側面を覆うように、可視光に対して透光性を有する蛍光体薄膜によって、蛍光体層１７が形成されている。
【００２５】
この蛍光体層１７は、カラー表示のために、放電セルＣ毎に赤（Ｒ），緑（Ｇ），青（Ｂ）にそれぞれ色分けされて、行方向または列方向に順に並ぶように配列されている。
【００２６】
この赤色の蛍光体層１７を形成する蛍光体薄膜は、例えば、（Ｙ，Ｇｄ，Ｅｕ）ＢＯ３，（Ｙ，Ｅｕ）２Ｏ３，（Ｙ，Ｇｄ，Ｅｕ）２Ｏ３  等の組成を有しており、緑色の蛍光体層１７を形成する蛍光体薄膜は、例えば、（Ｚｎ，Ｍｎ）２ＳｉＯ４，（Ｙ，Ｔｂ）ＢＯ３，（Ｙ，Ｔｂ）２Ｏ３  等の組成を有しており、青色の蛍光体層１７を形成する蛍光体薄膜は、例えば、（Ｂａ，Ｅｕ）ＭｇＡｌ１０Ｏ１７，（Ｃａ，Ｅｕ）ＭｇＳｉ２Ｏ６，（Ｙ，Ｔｍ）２Ｏ３  等の組成を有している。
【００２７】
そして、この蛍光体層１７を形成する透光性の蛍光体薄膜は、ＣＶＤ（化学気相成長）法またはスパッタリング法，ＥＢ（電子ビーム）蒸着法などによって成膜される。
【００２８】
上記第１の例のＰＤＰは、蛍光体層１７が透光性の蛍光体薄膜によって形成されていることにより、従来のＰＤＰのように、パネル面に入射する外光が蛍光体層表面において乱反射されることが無く、そして、蛍光体層１７をその透光性によって通過した外光が黒色または暗色の列電極保護層１５および隔壁１６によって吸収され、これによって、外光が反射されることによって生じる画像のコントラストの低下が防止される。
【００２９】
図３は、この発明によるＰＤＰの実施形態における第２の例を示す断面図である。
この図３において、表示面である前面ガラス基板１の背面の放電セルＣ１に対向する位置に、それぞれ行電極対（Ｘ，Ｙ）が、行方向（紙面と垂直方向）に沿って延びるように形成されている。
【００３０】
行電極ＸとＹは、それぞれ、行方向に延びる金属膜からなる帯状のバス電極Ｘａ，Ｙａと、このバス電極Ｘａ，Ｙａに沿って等間隔に並設されたＩＴＯ等の透明導電膜からなる透明電極Ｘｂ，Ｙｂとによって構成されていて、互いに対になっている透明電極ＸｂとＹｂが、放電ギャップｇを介して対向されている。
【００３１】
この行電極対（Ｘ，Ｙ）は、前面ガラス基板１の背面側に形成された誘電体層２によって被覆されており、この誘電体層２の背面側には、ＭｇＯからなる保護層３が形成されている。
【００３２】
一方、前面ガラス基板１と放電空間を介して平行に配置される背面ガラス基板４の前面ガラス基板１と対向する面（表示側の面）上には、行電極対（Ｘ，Ｙ）と交差する部分の放電空間に放電セルＣ１を形成する列電極Ｄが、各行電極対（Ｘ，Ｙ）の互いに対になった透明電極ＸｂとＹｂに対向する位置において列方向（紙面の左右方向）に延びるように、等間隔に並設されている。
【００３３】
背面ガラス基板４の表示側の面上には、白色の列電極保護層（誘電体層）５が形成されて列電極Ｄを被覆しており、この列電極保護層５上には、白色の隔壁６が形成されて、各放電セルＣ１がそれぞれ区画されている。
【００３４】
以上の構成は、前述した図１の従来のＰＤＰと同様であり、同一の符号が付されている。
【００３５】
そして、この隔壁６によって区画された放電セルＣ１内には、列電極保護層１５の表面と隔壁６の側面を全て覆うように、黒色または暗色の光吸収層２８が形成され、この光吸収層２８の表面上に、可視光に対して透光性を有する蛍光体薄膜によって、蛍光体層２７が形成されている。
【００３６】
この蛍光体層２７は、カラー表示のために、放電セルＣ毎に赤（Ｒ），緑（Ｇ），青（Ｂ）にそれぞれ色分けされて、行方向または列方向に順に並ぶように配列されている。
【００３７】
この赤色の蛍光体層２７を形成する蛍光体薄膜は、例えば、（Ｙ，Ｇｄ，Ｅｕ）ＢＯ３，（Ｙ，Ｅｕ）２Ｏ３，（Ｙ，Ｇｄ，Ｅｕ）２Ｏ３  等の組成を有しており、緑色の蛍光体層２７を形成する蛍光体薄膜は、例えば、（Ｚｎ，Ｍｎ）２ＳｉＯ４，（Ｙ，Ｔｂ）ＢＯ３，（Ｙ，Ｔｂ）２Ｏ３  等の組成を有しており、青色の蛍光体層２７を形成する蛍光体薄膜は、例えば、（Ｂａ，Ｅｕ）ＭｇＡｌ１０Ｏ１７，（Ｃａ，Ｅｕ）ＭｇＳｉ２Ｏ６，（Ｙ，Ｔｍ）２Ｏ３  等の組成を有している。
【００３８】
そして、この蛍光体層２７を形成する透光性の蛍光体薄膜は、ＣＶＤ（化学気相成長）法またはスパッタリング法，ＥＢ（電子ビーム）蒸着法などによって成膜される。
【００３９】
上記第２の例のＰＤＰは、蛍光体層２７が透光性の蛍光体薄膜によって形成されていることにより、従来のＰＤＰのように、パネル面に入射する外光が蛍光体層表面において乱反射されることが無く、そして、蛍光体層２７をその透光性によって通過した外光が黒色または暗色の光吸収層２８によって吸収され、これによって、外光が反射されることによって生じる画像のコントラストの低下が防止される。
【００４０】
図４は、この発明によるＰＤＰの実施形態における第３の例を示す断面図である。
この図４において、表示面である前面ガラス基板１の背面の放電セルＣ１に対向する位置に、それぞれ行電極対（Ｘ，Ｙ）が、行方向（紙面と垂直方向）に沿って延びるように形成されている。
【００４１】
行電極ＸとＹは、それぞれ、行方向に延びる金属膜からなる帯状のバス電極Ｘａ，Ｙａと、このバス電極Ｘａ，Ｙａに沿って等間隔に並設されたＩＴＯ等の透明導電膜からなる透明電極Ｘｂ，Ｙｂとによって構成され、互いに対になっている透明電極ＸｂとＹｂが、放電ギャップｇを介して対向されている。
【００４２】
この行電極対（Ｘ，Ｙ）は、前面ガラス基板１の背面側に形成された誘電体層２によって被覆されており、この誘電体層２の背面側には、ＭｇＯからなる保護層３が形成されている。
【００４３】
一方、前面ガラス基板１と放電空間を介して平行に配置される背面ガラス基板４の前面ガラス基板１と対向する面（表示側の面）上には、行電極対（Ｘ，Ｙ）と交差する部分の放電空間に放電セルＣ１を形成する列電極Ｄが、各行電極対（Ｘ，Ｙ）の互いに対になった透明電極ＸｂとＹｂに対向する位置において列方向（紙面の左右方向）に延びるように、等間隔に並設されている。
【００４４】
背面ガラス基板４の表示側の面上には、白色の列電極保護層（誘電体層）５が形成されて列電極Ｄを被覆しており、この列電極保護層５上には、白色の隔壁６が形成されて、各放電セルＣ１がそれぞれ区画されている。
【００４５】
以上の構成は、前述した図１の従来のＰＤＰと同様であり、同一の符号が付されている。
【００４６】
そして、この隔壁６によって区画された放電セルＣ１内には、列電極保護層５の表面と隔壁６の側面を覆うように、可視光に対して透光性を有する蛍光体薄膜によって、光の波長の略１／４（±５０パーセント）の膜厚ｔを有する蛍光体層３７が形成されている。
【００４７】
この蛍光体層３７は、カラー表示のために、放電セルＣ毎に赤（Ｒ），緑（Ｇ），青（Ｂ）にそれぞれ色分けされて、行方向または列方向に順に並ぶように配列されている。
【００４８】
そして、この赤色の蛍光体層３７を形成する蛍光体薄膜は、例えば、（Ｙ，Ｇｄ，Ｅｕ）ＢＯ３，（Ｙ，Ｅｕ）２Ｏ３，（Ｙ，Ｇｄ，Ｅｕ）２Ｏ３  等の組成を有しており、緑色の蛍光体層３７を形成する蛍光体薄膜は、例えば、（Ｚｎ，Ｍｎ）２ＳｉＯ４，（Ｙ，Ｔｂ）ＢＯ３，（Ｙ，Ｔｂ）２Ｏ３  等の組成を有しており、青色の蛍光体層３７を形成する蛍光体薄膜は、例えば、（Ｂａ，Ｅｕ）ＭｇＡｌ１０Ｏ１７，（Ｃａ，Ｅｕ）ＭｇＳｉ２Ｏ６，（Ｙ，Ｔｍ）２Ｏ３  等の組成を有しており、それぞれ、その屈折率が、列電極保護層５や隔壁６を形成する材料の屈折率よりも小さくなっている。
【００４９】
この蛍光体層３７を形成する透光性の蛍光体薄膜は、ＣＶＤ（化学気相成長）法またはスパッタリング法，ＥＢ（電子ビーム）蒸着法などによって成膜される。
【００５０】
上記第３の例のＰＤＰは、蛍光体層３７が透光性の蛍光体薄膜によって形成されていることにより、従来のＰＤＰのように、パネル面に入射する外光が蛍光体層表面において乱反射されることが無く、そしてさらに、この蛍光体層３７の膜厚ｔが光の波長の略１／４になっているとともに屈折率が列電極保護層５および隔壁６を形成する材料の屈折率よりも小さくなっていることによって、パネル面に入射して蛍光体層３７の表面で反射される外光と列電極保護層５または隔壁６の表面で反射される外光とが、互いに干渉しあって低減され、これによって、外光の反射によって生じる画像のコントラストの低下が防止される。
【００５１】
図５は、この発明によるＰＤＰの実施形態における第４の例を示す断面図である。
この図５において、表示面である前面ガラス基板１の背面の放電セルＣ１に対向する位置に、それぞれ行電極対（Ｘ，Ｙ）が、行方向（紙面と垂直方向）に沿って延びるように形成されている。
【００５２】
行電極ＸとＹは、それぞれ、行方向に延びる金属膜からなる帯状のバス電極Ｘａ，Ｙａと、このバス電極Ｘａ，Ｙａに沿って等間隔に並設されたＩＴＯ等の透明導電膜からなる透明電極Ｘｂ，Ｙｂとによって構成され、互いに対になっている透明電極ＸｂとＹｂが、放電ギャップｇを介して対向されている。
【００５３】
この行電極対（Ｘ，Ｙ）は、前面ガラス基板１の背面側に形成された誘電体層２によって被覆されており、この誘電体層２の背面側には、ＭｇＯからなる保護層３が形成されている。
【００５４】
一方、前面ガラス基板１と放電空間を介して平行に配置される背面ガラス基板４の前面ガラス基板１と対向する面（表示側の面）上には、行電極対（Ｘ，Ｙ）と交差する部分の放電空間に放電セルＣ１を形成する列電極Ｄが、各行電極対（Ｘ，Ｙ）の互いに対になった透明電極ＸｂとＹｂに対向する位置において列方向（紙面の左右方向）に延びるように、等間隔に並設されている。
【００５５】
背面ガラス基板４の表示側の面上には、白色の列電極保護層（誘電体層）５が形成されて列電極Ｄを被覆しており、この列電極保護層５上には、白色の隔壁６が形成されて、各放電セルＣ１がそれぞれ区画されている。
【００５６】
以上の構成は、前述した図１の従来のＰＤＰと同様であり、同一の符号が付されている。
【００５７】
そして、この隔壁６によって区画された放電セルＣ１内には、列電極保護層５の表面と隔壁６の側面を覆うように、可視光に対して透光性を有する蛍光体薄膜によって、蛍光体層４７が形成されている。
【００５８】
この蛍光体層４７は、カラー表示のために、放電セルＣ毎に赤（Ｒ），緑（Ｇ），青（Ｂ）にそれぞれ色分けされて、行方向または列方向に順に並ぶように配列されている。
【００５９】
そして、この赤色の蛍光体層４７を形成する蛍光体薄膜は、例えば、（Ｙ，Ｇｄ，Ｅｕ）ＢＯ３，（Ｙ，Ｅｕ）２Ｏ３，（Ｙ，Ｇｄ，Ｅｕ）２Ｏ３  等の組成を有しており、緑色の蛍光体層４７を形成する蛍光体薄膜は、例えば、（Ｚｎ，Ｍｎ）２ＳｉＯ４，（Ｙ，Ｔｂ）ＢＯ３，（Ｙ，Ｔｂ）２Ｏ３  等の組成を有しており、青色の蛍光体層４７を形成する蛍光体薄膜は、例えば、（Ｂａ，Ｅｕ）ＭｇＡｌ１０Ｏ１７，（Ｃａ，Ｅｕ）ＭｇＳｉ２Ｏ６，（Ｙ，Ｔｍ）２Ｏ３  等の組成を有している。
【００６０】
この蛍光体層４７を形成する透光性の蛍光体薄膜は、ＣＶＤ（化学気相成長）法またはスパッタリング法，ＥＢ（電子ビーム）蒸着法などによって成膜される。
【００６１】
この例のＰＤＰには、さらに、前面ガラス基板１の表示側の面上に、円偏光フィルタ層４９が形成されている。
【００６２】
この円偏光フィルタ層４９は、前面ガラス基板１側に形成された位相差板（１／４波長板）４９Ａと、この位相差板（１／４波長板）４９Ａ上に形成された偏光板４９Ｂとによって構成されている。
【００６３】
図６は、この円偏光フィルタ層４９の位相差板（１／４波長板）４９Ａと円偏光フィルタ板４９Ｂの配置を示しており、この位相差板（１／４波長板）４９Ａと円偏光フィルタ板４９Ｂとは、位相差板（１／４波長板）４９Ａの進相軸（または、遅相軸）４９Ａａと偏光板４９Ｂの吸収軸（または、透過軸）４９Ｂａが４５度の角度で交差するように配置されている。
【００６４】
図７は、この円偏光フィルタ層４９による外光の反射抑制の原理を示す説明図である。
この図７において、パネル面に入射する自然光である外光（ランダム偏光）Ｌは、円偏光フィルタ層４９の偏光板４９Ｂを通過する際に、所定の偏光面を有する直線偏光（Ｐ偏光）Ｌａのみが通過して、他の偏光面を有する光は吸収される。
【００６５】
この偏光板４９Ｂを通過した直線偏光（Ｐ偏光）Ｌａは、次に、位相差板（１／４波長板）４９Ａを通過する際に左回転の円偏光Ｌｂに変換される。
【００６６】
そして、この位相差板（１／４波長板）４９Ａを通過した左回転の円偏光Ｌｂは、蛍光体層４７の表面で（または、蛍光体層４７を通過して列電極保護層５，隔壁６の表面で）正反射されて、逆回り（この場合には、右回り）の円偏光Ｌｃに変換される。
【００６７】
このとき、蛍光体層４７が蛍光体薄膜によって形成されていることによって、従来の蛍光体粉末によって蛍光体層が形成されている場合に比べて、蛍光体層４７の反射面で発生する偏光の乱れが大幅に減少される。
【００６８】
この右回りの円偏光Ｌｃは、蛍光体層４７の反射面から位相差板（１／４波長板）４９Ａに戻って来ると、この位相差板（１／４波長板）４９Ａを通過する際に、直線偏光（Ｐ偏光）Ｌａと直角な偏光面を有する直線偏光（Ｓ偏光）Ｌｄに変換される。
【００６９】
従って、この直線偏光（Ｓ偏光）Ｌｄは、偏光板４９Ｂを通過することが出来ず、この偏光板４９Ｂに吸収されて、パネル面から外部に出射されない。
【００７０】
以上のように、上記第４の例のＰＤＰは、蛍光体層４７が透光性の蛍光体薄膜によって形成されており、前面ガラス基板１の表面に円偏光フィルタ層４９が形成されていることにより、パネル面から入射した外光が円偏光フィルタ層４９によってパネル面から再び外側に向けて出射されるのが防止されるので、外光の反射によって画像のコントラストが低下するのが防止されるとともに、蛍光体層４７が蛍光体薄膜によって形成されていることによって、従来の蛍光体粉末によって蛍光体層が形成されている場合に比べて、蛍光体層４７の反射面での偏光の乱れを減少させることが出来、これによって、円偏光フィルタ層４９による外光の反射防止の効果を高めることが出来る。
【００７１】
なお、上記においては、円偏光フィルタ層４９が前面ガラス基板１の表示面上に形成されている例が示されているが、例えば、前面ガラス基板１と誘電体層２の間の位置などの前面ガラス基板１側の他の位置に円偏光フィルタ層４９を形成するようにしても良い。
【００７２】
また、前面ガラス基板の前に設けられる保護パネル上に電磁波遮断層、近赤外線吸収層、外光反射防止層などと共に円偏光フィルタ層４９を設けるようにしても良い。
【００７３】
上記実施形態の第１の例および第２の例のＰＤＰは、放電空間を介して互いに対向された前面基板と背面基板を備え、背面基板側に放電空間内において発生される放電によって発色を行う蛍光体層が形成されたＰＤＰにおいて、前記蛍光体層が可視光に対して透光性を有する蛍光体薄膜によって形成され、この蛍光体層の前面基板に対向する側と反対側に黒色または暗色面が配置されているＰＤＰの実施形態を、その上位概念の実施形態としているものである。
【００７４】
この上位概念を構成するＰＤＰは、背面基板側に形成された蛍光体層が透光性の蛍光体薄膜によって形成されていることにより、従来のＰＤＰのように、パネル面に入射する外光が蛍光体層表面において乱反射されることが無く、そして、蛍光体層をその透光性によって通過した外光は、この蛍光体層の背面側に配置されているＰＤＰの黒色または暗色の面によって吸収される。
【００７５】
従って、この実施形態のＰＤＰによれば、パネル面に入射する外光は、この蛍光体層の背面側に位置する黒色または暗色面によって吸収されて、その反射が防止されるので、外光の反射によって生じる画像のコントラストの低下が防止される。
【００７６】
上記実施形態の第３の例のＰＤＰは、放電空間を介して互いに対向された前面基板と背面基板を備え、背面基板側に放電空間内において発生される放電によって発色を行う蛍光体層が形成されたプラズマディスプレイパネルにおいて、前記蛍光体層が、可視光に対する透光性と背面基板側の蛍光体層に接する部分の屈折率よりも小さい屈折率を有するとともに光の波長の略１／４の膜厚を有する蛍光体薄膜によって形成されているＰＤＰの実施形態を、その上位概念の実施形態としているものである。
【００７７】
この上位概念を構成するＰＤＰは、蛍光体層が透光性の蛍光体薄膜によって形成されていることにより、従来のＰＤＰのように、パネル面に入射する外光が蛍光体層表面において乱反射されることが無く、そしてさらに、この蛍光体層が、その膜厚が光の波長の略１／４になっているとともに、背面基板側の蛍光体層に接する部分の屈折率よりも小さい屈折率を有していることによって、パネル面に入射して蛍光体層の表面で反射される外光と背面基板側の蛍光体層に接しているＰＤＰの構成部分によって反射される外光とが、互いに干渉しあって低減されるので、外光の反射によって生じる画像のコントラストの低下が防止される。
【００７８】
上記実施形態の第４の例のＰＤＰは、放電空間を介して互いに対向された前面基板と背面基板を備え、背面基板側に放電空間内において発生される放電によって発色を行う蛍光体層が形成されたプラズマディスプレイパネルにおいて、前記蛍光体層が可視光に対して透光性を有する蛍光体薄膜によって形成され、前面基板側に円偏光フィルタ層が設けられているＰＤＰの実施形態を、その上位概念の実施形態としているものである。
【００７９】
この上位概念を構成するＰＤＰは、蛍光体層が透光性の蛍光体薄膜によって形成されており、前面基板側に円偏光フィルタ層が設けられていることにより、パネル面から入射した外光が円偏光フィルタ層によってパネル面から再び外側に向けて出射されるのが防止されるので、外光の反射によって画像のコントラストが低下するのが防止される。
【００８０】
そして、このＰＤＰは、さらに、蛍光体層が蛍光体薄膜によって形成されていることによって、従来の蛍光体粉末によって蛍光体層が形成されている場合に比べて、蛍光体層の反射面での偏光の乱れを減少させることが出来、これによって、円偏光フィルタ層による外光の反射防止の効果を高めることが出来る。
【図面の簡単な説明】
【図１】従来のＰＤＰの構成を示す正面図である。
【図２】この発明の実施形態の第１の例を示す断面図である。
【図３】この発明の実施形態の第２の例を示す断面図である。
【図４】この発明の実施形態の第３の例を示す断面図である。
【図５】この発明の実施形態の第４の例を示す断面図である。
【図６】同例における円偏光フィルタ層の構成を示す説明図である。
【図７】同円偏光フィルタ層による外光の反射防止の原理を説明するための説明図である。
【符号の説明】
１                            …前面ガラス基板（前面基板）
２                      …誘電体層
３                      …保護層
４                      …背面ガラス基板（背面基板）
５                      …列電極保護層
（背面基板側の蛍光体層に接する部分）
１５                    …列電極保護層（黒色または暗色面）
６                      …隔壁（背面基板側の蛍光体層に接する部分）
１６                    …隔壁（黒色または暗色面）
１７，２７，３７，４７  …蛍光体層
２８                    …光吸収層（黒色または暗色面）
４９                    …円偏光フィルタ層
４９Ａ                  …位相差板（１／４波長板）
４９Ｂ                      …偏光板
ｔ                      …膜厚
【図１】
2004356062.tif 000003
【図２】
2004356062.tif 000004
【図３】
2004356062.tif 000005
【図４】
2004356062.tif 000006
【図５】
2004356062.tif 000007
【図６】
2004356062.tif 000008
【図７】
2004356062.tif 000009